(57)【要約】【課題】バックセット寸法を調整可能であり、構造が簡単であると共に部品点数が少なく低コストで製造可能であり、左右勝手の入れ替え作業を容易に行うことができるアウトセット引戸用鎌錠を提供する。【解決手段】アウトセット引戸用鎌錠は、連結部材と、連結部材を介して操作部に機械的に連結され、この操作部の操作に連動して連結部材と共に上下方向に往復移動する摺動部材と、この摺動部材に連動して回動する鎌部材とを備えている。摺動部材は、鎌部材を連動させる連動桿と、左右方向に沿って伸長しており、操作部の連結部材が挿通可能な長穴を有するアーム部とを備えている。鎌部材は、基端部と、連動桿と平行となるように基端部から突出して設けられた鎌軸と、基端部に設けられ、連動桿が挿通する湾曲状長穴と、基端部の先端側に設けられ、連動桿が上下方向に往復移動し前記湾曲状長穴に沿って移動して基端部が鎌軸を中心に回動することにより、引戸の側面から突出又は引込するように構成された鎌部とを備えている。【選択図】図１
2019108661.tif 000002
【特許請求の範囲】
【請求項１】
引戸の側面に設置された操作部を操作することによって、アウトセット引戸を施解錠するアウトセット引戸用鎌錠であって、
連結部材と、該連結部材を介して前記操作部に機械的に連結され、該操作部の操作に連動して前記連結部材と共に上下方向に往復移動する摺動部材と、該摺動部材に連動して回動する鎌部材とを備えており、
前記摺動部材は、前記鎌部材を連動させる連動桿と、左右方向に沿って伸長しており、前記連結部材が挿通可能な長穴を有するアーム部とを備え、
前記鎌部材は、基端部と、前記連動桿と平行となるように前記基端部から突出して設けられた鎌軸と、前記基端部に設けられ、前記連動桿が挿通する湾曲状長穴と、前記基端部の先端側に設けられ、前記連動桿が上下方向に往復移動し前記湾曲状長穴に沿って移動して前記基端部が前記鎌軸を中心に回動することにより、前記引戸の側面から突出又は引込するように構成された鎌部とを備えていることを特徴とするアウトセット引戸用鎌錠。
【請求項２】
前記連動桿が挿通して上下方向に往復移動する摺動長穴を有する鎌錠本体をさらに備えており、該鎌錠本体の前記摺動長穴の近傍には前記鎌部材の前記鎌軸を軸支する軸受け穴が設けられていることを特徴とする請求項１に記載のアウトセット引戸用鎌錠。
【請求項３】
前記鎌錠本体の前記摺動長穴の両側には１対の前記軸受け穴が設けられており、前記鎌軸は両端部が前記基端部の両側面からそれぞれ突出して該基端部に固着されており、該鎌軸の前記両端部のうちの一方が該１対の軸受け穴の１つに装着されて軸支されるように構成されていることを特徴とする請求項２に記載のアウトセット引戸用鎌錠。
【請求項４】
前記摺動部材は、前記連動桿の先端部及び前記アーム部が前記鎌錠本体から露出した状態で前記鎌錠本体内に収容されていることを特徴とする請求項２又は３に記載のアウトセット引戸用鎌錠。
【請求項５】
前記連結部材は、前記長穴に左右方向に移動可能な所定幅を有する平板形状に形成されていることを特徴とする請求項１から４のいずれか１項に記載のアウトセット引戸用鎌錠。
【請求項６】
前記鎌部材の突出方向又は引込方向に前記摺動部材を付勢する付勢手段をさらに備えていることを特徴とする請求項１から５のいずれか１項に記載のアウトセット引戸用鎌錠。
【請求項７】
前記引戸の前記鎌部材が突出又は引込する側の戸枠又は壁面に設けられ、前記鎌部材が係脱可能な鎌受けをさらに備えていることを特徴とする請求項１から６のいずれか１項に記載のアウトセット引戸用鎌錠。
【請求項８】
前記鎌部材の少なくとも前記湾曲状長穴が設けられている部分は、樹脂材料から形成されていることを特徴とする請求項１から７のいずれか１項に記載のアウトセット引戸用鎌錠。
【発明の詳細な説明】
【技術分野】
【０００１】
本発明は、バックセット寸法（戸先から操作ツマミまでの距離）が調整可能な、アウトセット引戸を施解錠するためのアウトセット引戸用鎌錠に関する。
【背景技術】
【０００２】
近年、住宅の新築及びリフォーム需要によってアウトセット引戸の使用量が増加している。アウトセット引戸は、良く知られているように、面倒な控え壁の施工が不要であると共に取付けも簡単な外付けタイプの引戸である。
【０００３】
このようなアウトセット引戸用の錠として、引戸開閉方向と直交する方向に突出する鎌部を有するアウトセット引戸用の鎌錠が提案されている（例えば、特許文献１）。
【０００４】
特許文献１に記載されている引戸錠装置は、アウトセット引戸用の鎌錠であり、引戸の側縁に錠前を組み込む一方、引戸が全閉位置にあるときに錠前の鎌出入口と鎌掛け穴が対向する壁側に、鎌受けを取り付ける。施解錠時、操作具のサムタンを操作して回転伝達軸を回転させると、その回転を運動変換手段で直線往復運動に変換し、摺動体を、スライダを介して第２ケース内で高さ方向上下に摺動して鎌部材を回動し、鎌部を引戸の開閉方向と直交する向きに鎌出入口から出没させて鎌受けの鎌掛け穴に対して係脱する構成となっている。
【０００５】
このようなアウトセット引戸において、引戸を締めた際の枠にかぶさるかぶせ寸法は、建具の設計者によって様々となっているため、アウトセット引戸に引戸錠を使用したい場合には、引戸錠のバックセット寸法に合わせたかぶせ寸法に限定して建具を設計する必要がある。
【０００６】
従来、バックセット寸法の変更に対応できる引戸用の鎌錠が提案されている（例えば、特許文献２）。
【０００７】
特許文献２に記載されている引戸用の鎌錠は、錠ケースに出没可能に枢着した鎌と、戸当りに当接可能に付勢され、かつ錠ケースに出没可能に収容したトリガーとを備え、錠ケースの内部にリンクを回動可能に枢着し、このリンクの一端にトリガーを枢着し、リンクの他端に鎌を回動可能に連結し、トリガーの後退動に連動して鎌を前進可能にする。
【先行技術文献】
【特許文献】
【０００８】
【特許文献１】実用新案登録第３１６５１６９号公報
【特許文献２】特許第３１１４７９４号公報
【発明の概要】
【発明が解決しようとする課題】
【０００９】
特許文献１に記載されている従来のアウトセット引戸鎌錠は、バックセット寸法が固定されており、その変更に対応できない問題点があった。
【００１０】
また、特許文献２に記載されている引戸鎌錠は、バックセット寸法の変更に対応できる引戸用の鎌錠であるが、アウトセット引戸には適用できない問題点があった。
【００１１】
また、アウトセット引戸において、かぶせ寸法を変えるには、バックセット寸法が異なる引戸錠を別途製品化するという方法が考えられるが、これにより、建具の設計条件が限定されてしまうという問題点、及び引戸錠製品の種類が増えることで製造コストが増幅してしまうという問題点があった。
【００１２】
さらに、特許文献１のアウトセット引戸の鎌錠は、施解錠時、操作具のサムタンの回転操作を運動変換手段で直線往復運動に変換し、さらに摺動体を、スライダを介して鎌部材を回動させ、鎌部を引戸の開閉方向と直交する向きに鎌出入口から出没させるという構成であるため、構造が複雑であり、部品点数も多くなり、製造コストが高いという問題点があった。
【００１３】
従って、本発明の目的は、バックセット寸法を調整可能なアウトセット引戸用鎌錠を提供することにある。
【００１４】
本発明の他の目的は、構造が簡単であると共に部品点数が少なく低コストで製造可能なアウトセット引戸用鎌錠を提供することにある。
【００１５】
本発明のさらに他の目的は、左右勝手の入れ替え作業を容易に行うことができるアウトセット引戸用鎌錠を提供することにある。
【課題を解決するための手段】
【００１６】
本発明によれば、引戸の側面に設置された操作部を操作することによって、アウトセット引戸を施解錠するアウトセット引戸用鎌錠が提供される。このアウトセット引戸用鎌錠は、連結部材と、連結部材を介して操作部に機械的に連結され、この操作部の操作に連動して上連結部材と共に下方向に往復移動する摺動部材と、この摺動部材に連動して回動する鎌部材とを備えている。摺動部材は、鎌部材を連動させる連動桿と、左右方向に沿って伸長しており、操作部の連結部材が挿通可能な長穴を有するアーム部とを備えている。鎌部材は、基端部と、連動桿と平行となるように基端部から突出して設けられた鎌軸と、基端部に設けられ、連動桿が挿通する湾曲状長穴と、基端部の先端側に設けられ、連動桿が上下方向に往復移動し湾曲状長穴に沿って移動して基端部が前記鎌軸を中心に回動することにより、引戸の側面から突出又は引込するように構成された鎌部とを備えている。
【００１７】
摺動部材は、鎌部材を連動させる連動桿と、左右方向に沿って伸長しており、連結部材が挿通可能な長穴を有するアーム部とを備えることにより、長穴において連結部材の位置が変更可能であり、アウトセット引戸を閉めた際のかぶせ寸法に応じて、バックセット寸法を調整することができる。また、施解錠する際に操作部を操作すると、連結部材が直接に摺動部材を操作し、かつ連動桿が操作部の操作に連動して上下方向に往復移動し湾曲状長穴に沿って移動する。これにより鎌部材の基端部が鎌軸を中心に回動して、鎌部が引戸の側面から突出又は引込する。このように、連動桿が上下方向に往復移動し湾曲状長穴に沿って移動することによって鎌部材の基端部が鎌軸を中心に回動する構造であるため、構造が簡単であると共に部品点数が少なく済み、低コストで製造することができる。また、鎌錠であるため、アウトセット引戸を確実に施錠して施錠性を高めることができる。なお、本明細書において、「上下方向」とは引戸の設置された状態における上下方向を表しており、「左右方向」とは引戸の開閉方向を表している。
【００１８】
連動桿が挿通して上下方向に往復移動する摺動長穴を有する鎌錠本体をさらに備えており、鎌錠本体の摺動長穴の近傍には鎌部材の鎌軸を軸支する軸受け穴が設けられていることが好ましい。
【００１９】
この場合、鎌錠本体の摺動長穴の両側には１対の軸受け穴が設けられており、鎌軸は両端部が基端部の両側面からそれぞれ突出して基端部に固着されており、鎌軸の両端部のうちの一方が１対の軸受け穴の１つに装着されて軸支されるように構成されていることがより好ましい。鎌部材を裏返して鎌軸の他方を１対の軸受け穴の他の１つに装着すれば、鎌錠の左右勝手の入れ替えを行うことができるので、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００２０】
摺動部材は、連動桿の先端部及びアーム部が鎌錠本体から露出した状態で鎌錠本体内に収容されていることも好ましい。
【００２１】
連結部材は、長穴に左右方向に移動可能な所定幅を有する平板形状に形成されていることがより好ましい。
【００２２】
鎌部材の引込方向に摺動部材を付勢する付勢手段をさらに備えていることも好ましい。
【００２３】
引戸の前記鎌部材が突出又は引込する側の戸枠又は壁面に設けられ、鎌部材が係脱可能な鎌受けをさらに備えていることも好ましい。
【００２４】
鎌部材の少なくとも湾曲状長穴が設けられている部分は、樹脂材料から形成されていることも好ましい。これにより、連動桿が湾曲状長穴内をスムーズに移動でき、かつ施錠する際に鎌受けに当接する時の操作音を抑えることができる。
【発明の効果】
【００２５】
本発明のアウトセット引戸用鎌錠によれば、摺動部材は、鎌部材を連動させる連動桿と、左右方向に沿って伸長しており、操作部の連結部材が挿通可能な長穴を有するアーム部とを有することにより、長穴において連結部材の位置が変更可能であり、アウトセット引戸を閉めた際のかぶせ寸法に応じて、バックセット寸法を所定範囲において自由に調整、変更することができる。そのため、建具の設計上ではかぶせ寸法に自由度ができ、製造コストをかけて鎌錠製品の種類を増やす必要がなくなる。また、連結部材が直接に摺動部材を操作する構造であり、かつ連動桿が上下方向に往復移動し湾曲状長穴に沿って移動することによって鎌部材の基端部が鎌軸を中心に回動する構造であるため、構造が簡単であると共に部品点数が少なく済み、低コストで製造することができる。また、鎌錠であるため、アウトセット引戸を確実に施錠して施錠性を高めることができる。
【００２６】
また、鎌錠本体の摺動長穴の両側には１対の軸受け穴が設けられており、鎌軸は両端部が基端部の両側面からそれぞれ突出して基端部に固着されており、鎌軸の両端部のうちの一方が１対の軸受け穴の１つに装着されて軸支されるように構成されていることで、鎌部材を裏返して鎌軸の他方を１対の軸受け穴の他の１つに装着すれば、鎌錠の左右勝手の入れ替えを行うことができるので、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【図面の簡単な説明】
【００２７】
【図１】本発明の一実施形態に係るアウトセット引戸用鎌錠の構成を概略的に示す分解斜視図である。
【図２】図１のアウトセット引戸用鎌錠の要部の構成（解錠状態）を概略的に示す端面図及び側面図である。
【図３】図１のアウトセット引戸用鎌錠の要部の構成（施錠状態）を概略的に示す端面図及び側面図である。
【図４】図１のアウトセット引戸用鎌錠の端面部材の構成を概略的に示す側面図である。
【図５】図１のアウトセット引戸用鎌錠の鎌受けの構成を概略的に示す正面図及び断面図である。
【図６】図１のアウトセット引戸用鎌錠の使用状態を示す斜視図である。
【図７】図１のアウトセット引戸用鎌錠の鎌受けの他の構成を概略的に示す斜視図及び断面図である。
【発明を実施するための形態】
【００２８】
以下、本発明に係るアウトセット引戸用鎌錠の実施形態を、図を参照して説明する。
【００２９】
図１は本発明の一実施形態に係るアウトセット引戸用鎌錠１００の全体の構成を分解して示している。図２はアウトセット引戸用鎌錠１００の要部の構成（解錠状態）を示しており、同図（ａ）は端面を、同図（ｂ）は側面を示している。図３はアウトセット引戸用鎌錠１００の要部の構成（施錠状態）を示しており、同図（ａ）は端面を、同図（ｂ）は側面を示している。図４はアウトセット引戸用鎌錠１００の端面部材４０の構成を概略的に示しており、同図（ａ）は鎌出入口４４から見た側面を、同図（ｂ）は端面部材４０の裏面を示している。図５はアウトセット引戸用鎌錠１００の鎌受け５０の構成を概略的に示しており、同図（ａ）は鎌受け５０正面を、同図（ｂ）は鎌受け５０の断面を示している。
【００３０】
図１〜図５に示すように、本実施形態に係るアウトセット引戸用鎌錠１００は、アウトセット引戸（以下、単に「引戸」という）Ｄの戸先近傍の側面に設置された操作部１０を上下動することによって、引戸Ｄを施解錠する鎌錠である。このアウトセット引戸用鎌錠１００は、引戸Ｄを施解錠するための操作部１０と、この操作部１０の上下動を鎌部材３０に伝達する伝達機構を内部に収容している鎌錠本体２０と、鎌部材３０と、鎌錠本体２０と協働して鎌部材３０を保持する端面部材４０と、引戸Ｄに対向する壁面Ｗに設けられ鎌部材３０が掛止される鎌受け５０とを備えている。
【００３１】
操作部１０は、引戸Ｄを施解錠する際に操作されるものであり、例えば、金属材料から形成され、引戸Ｄの壁面と対向する側面（以下、外側側面）とは反対側の側面（以下、内側側面）の戸先近傍に設けられている。操作部１０は、引戸Ｄの内側の操作ノブ１１と、引戸Ｄの外側側面に配置され、ピン等の工具で解錠するための外側解錠機構１１ａと、これら操作ノブ１１及び外側解錠機構１１ａの裏側に（即ち、操作ノブ１１と外側解錠機構１１ａとの間に）装着された連結部材１２とから構成されている。操作ノブ１１（又は、外側解錠機構１１ａ）は上下に摺動することができるように構成されており、連結部材１２は操作ノブ１１及び外側解錠機構１１ａと共に上下に移動するように構成されている。
【００３２】
鎌錠本体２０は、施解錠操作による操作部１０からの上下動を鎌部材３０に伝達する伝達機構であり、収容ケース２１と、操作部１０の連結部材１２の上下動に応じて収容ケース２１内を上下方向に往復摺動する摺動部材２２と、収容ケース２１内に収容され、鎌部材３０の突出方向又は引込方向に摺動部材２２を付勢する付勢手段２３と、後述する端面部材４０を取り付けるための取り付け部２４とを備えている。
【００３３】
鎌錠本体２０の収容ケース２１は、例えば、金属材料で形成された中空筐体である。この収容ケース２１の一方の端面（引戸Ｄに設置時にこの引戸Ｄの戸尻側を向く端面）には、長穴２２ｂを有するアーム部２２ｃが挿通して上下方向に往復移動するための開口部２５が設けられており、他方の端面（引戸Ｄに設置時にこの引戸Ｄの戸先側を向く端面）には、連動桿２２ａが挿通して上下方向に往復移動する摺動長穴２６が設けられている。この他方の端面における摺動長穴２６の両側に１対の非貫通の軸受け穴２７が設けられている。また、収容ケース２１の両側面（引戸表面と平行する方向に配置される面、引き戸の開閉方向と垂直に配置される面）には、摺動部材２２の摺動を案内するためのガイド溝２８がそれぞれ設けられている。ガイド溝２８は、アウトセット引戸用鎌錠１００が引戸Ｄに設置された状態における上下方向に伸長して設けられている。
【００３４】
鎌錠本体２０の摺動部材２２は、摺動部材２２に連動して上下方向に往復移動するように構成された連動桿２２ａと、長穴２２ｂを有するアーム部２２ｃとを備えている。連動桿２２ａは、例えば、金属材料で形成された中実の丸棒であり、この連動桿２２ａの一端は摺動部材２２に固着され、他端は端面部材４０の後述する摺動溝４２に摺動可能に嵌入されており、その間の部分は鎌部材３０の湾曲状長穴３３内を挿通している。アーム部２２ｃは、例えば、樹脂材料から摺動部材２２の本体部と一体に形成されている。このアーム部２２ｃの一端は摺動部材２２に固着され、他端は収容ケース２１の開口部２５に摺動可能に挿通され、外部に露出しており、この露出部に左右方向に沿って伸長する長穴２２ｂが設けられており、この長穴２２ｂには操作部１０の連結部材１２が挿通され、かつバックセット寸法に応じて、左右に所定範囲（例えば、１５ｍｍの範囲）に任意に配置することが可能である。これにより、バックセット寸法を４５ｍｍ〜６０ｍｍの範囲で自由に設定することができる。なお、連結部材１２の左右に配置可能な範囲は、必要に応じて長穴２２ｂの長さを設計することで、適宜に決めることができる。
【００３５】
鎌錠本体２０の付勢手段２３は、ねじりコイルばねから構成されている。その一端が収容ケース２１に装着され、他端が摺動部材２２に装着されている。摺動部材２２が上下方向に往復移動する際に、往復移動の中央の位置ではねじりコイルばねが最も圧縮された状態で、両端の位置ではねじりコイルばねが伸展された状態であり、これにより、鎌部材３０の突出方向又は引込方向に摺動部材２２を付勢するようになる。
【００３６】
鎌部材３０は、連動桿２２ａ上下方向の移動に連動して回動するように構成されており、基端部３１と、連動桿２２ａと平行となるように基端部３１から突出して設けられた鎌軸３２と、基端部３１に設けられ、連動桿２２ａが挿通する湾曲状長穴３３と、基端部３１の先端側に設けられ、連動桿２２ａが上下方向に往復移動し湾曲状長穴３３に沿って移動して基端部３１が鎌軸３２を中心に回動することにより、引戸Ｄの側面から突出又は引込して戸枠Ｆに設けられた鎌受け５０に掛止するように構成された鎌部３４とを備えている。
【００３７】
鎌部材３０における基端部３１の少なくとも湾曲状長穴３３が設けられる部分は、樹脂材料から形成されていることが望ましい。本実施形態においては、基端部３１の湾曲状長穴３３が設けられている基端部本体３１ａの部分は樹脂材料で構成されており、これより先端側の鎌部３４及び鎌軸３２が装着される部分は横断面が略コ字状の金属板材３１ｂによって基端部本体３１ａの両側面を挟むように構成されている。この場合、金属板材３１ｂは補強機能を有している。なお、本実施形態の鎌部３４においては、樹脂材料からなる基端部本体３１ａが金属板材３１ｂの縁端より突出するように構成されており、これにより、施錠する際に鎌部３４が鎌受け５０に当接する時の操作音を抑えることができる。また、湾曲状長穴３３の部分が樹脂材料で形成されていることにより、連動桿２２ａがこの湾曲状長穴３３内をスムーズに摺動することができる。
【００３８】
端面部材４０は、金属材料から形成され、上下長が長い端面片４０ａと上下長が短い側面片４０ｂとをＬ字形状に一体化して構成した部材である。この端面部材４０の端面片４０ａが引戸Ｄの戸先側端面に当接して装着され、側面片４０ｂが引戸Ｄの側面に当接するように取り付けられる。この端面部材４０の端面片４０ａの裏面（引戸側の面）には、１対の取り付け用突起部４１と、連動桿２２ａの他端が摺動可能に嵌入する上下１つずつの摺動溝４２と、２つの摺動溝４２の片側に設けられ、鎌軸３２の一端が下側に位置する軸受け穴４３に回転可能に装着される２つの非貫通の軸受け穴４３とが設けられている。２つの摺動溝４２及び２つの軸受け穴４３が設けられている理由は、鎌錠の左右勝手の入れ替えを行う際にこの端面部材４０が上下逆に配置され、その下側に位置する摺動溝４２及び軸受け穴４３が利用されるためである。また、側面片４０ｂには、矩形形状に開口された鎌出入口４４が設けられている。この端面部材４０は、取り付け用突起部４１を介して収容ケース２１の取り付け部２４にネジで取り付けられる。この場合、鎌軸３２が端面部材４０と鎌錠本体２０の収容ケース２１との間に支持され、同時に連動桿２２ａが湾曲状長穴３３を挿通してその他端が下側の摺動溝４２に嵌入される。
【００３９】
鎌部材３０の左右勝手切り替えの際は、端面部材４０が上下逆かつ左右逆となるように設置される。従って、側面片４０ｂは、上下逆転して引戸Ｄの反対側の側面に当接するように設置される。さらに、鎌部材３０を裏返して鎌軸３２の他方を鎌錠本体２０の１対の軸受け穴２７の他の１つに回動可能に嵌入し、鎌軸３２の一方を端面部材４０の下側の１対の軸受け穴４３の１つに回動可能に嵌入すれば、鎌部材３０の左右勝手の入れ替えを行うことができる。このように、本実施形態によれば、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００４０】
鎌受け５０は、金属材料から形成され、鎌部材３０の鎌部３４が係脱可能に構成されている。この鎌受け５０は、引戸Ｄの鎌部材３０が突出又は引込する側の戸枠Ｆに取り付けられている。図５に示すように、鎌受け５０は、鎌部材３０の鎌部３４が係止する鎌掛け部５１と、戸枠Ｆに埋め込まれ、鎌部材３０の先端部が進入可能な箱状部材５２と、鎌掛け部５１を押さえるための押さえ板５３と、表面板５４とを備えている。
【００４１】
図６はアウトセット引戸用鎌錠１００の設置及び使用状態を示しており、同図（ａ）は引戸Ｄの外側から見た状態を示しており、（ｂ）は引戸Ｄの内側から見た状態を示している。内側において操作ノブ１１を操作することができる。
【００４２】
以下、本実施形態のアウトセット引戸用鎌錠１００の施解錠動作を説明する。
【００４３】
操作ノブ１１を下方へ摺動させることで、図２に示すようにアウトセット引戸用鎌錠１００が解錠状態になる。即ち、操作ノブ１１を下方へ摺動させると、連結部材１２がこれに連動して下方へ移動し、この連結部材１２が挿通している摺動部材２２のアーム部２２ｃが、これに連動して下方へ移動する。これにより、摺動部材２２が下方へ摺動し、連動桿２４がこれに連動して下方へ移動することにより、鎌部材３０が鎌軸３２を中心に、図２（ａ）にて時計回りに回動する。その結果、鎌部３４が鎌受け５０から外れて引戸Ｄの内部（鎌出入口４４の内側）に引き込むこととなり、解錠状態となる。この状態において、付勢手段２３は、図２（ｂ）に示すように、摺動部材２２を下方に付勢することになり、鎌部材３０が解錠位置に保つことができる。図２に示す状態から施錠する際に、操作ノブ１１を上方へ摺動させることで、鎌部材３０が、図２（ａ）中の矢印方向に回動することになる。
【００４４】
施錠する際に、操作ノブ１１を上方へ摺動させることで、図３に示すようにアウトセット引戸用鎌錠１００が施錠状態になる。即ち、操作ノブ１１を上方へ摺動させると、連結部材１２がこれに連動して上方へ移動し、これにより、摺動部材２２を上方へ摺動し、連動桿２４がこれに連動して上方へ移動することにより、鎌部材３０が鎌軸３２を中心に、図３（ａ）にて反時計回りに回動する。その結果、鎌部３４が引戸Ｄの内部（鎌出入口４４の内側）から突出し鎌受け５０に掛止することとなり、施錠状態になる。この状態において、付勢手段２３は、図３（ｂ）に示すように、摺動部材２２を上方に付勢することになり、鎌部材３０が施錠位置に保つことができる。図３に示す状態から解錠する際に、操作ノブ１１を下方へ摺動させることで、鎌部材３０が、図３（ａ）中の矢印方向に回動することになる。
【００４５】
アウトセット引戸用鎌錠１００の左右勝手の入れ替えを行う場合、鎌錠本体２０から端面部材４０を取り外した後、鎌部材３０を鎌錠本体２０から外し、鎌部材３０の表裏を逆にして鎌軸３２を他方の軸受け穴２７に装着し、連動桿２４を湾曲状長穴３３を挿通させ、さらに、上下逆かつ左右逆に設置した端面部材４０の下側に位置する摺動溝４２に連動桿２２ａを嵌入させた後、鎌軸３２の他端を下側に位置する他方の軸受け穴４３に装着すれば良い。即ち、本実施形態の構成によれば、鎌部材３０と端面部材４０の２つの部品の取り付け方向を入れ替えるだけで、左右勝手の入り替えが簡単にできる。
【００４６】
以上詳細に説明したように、本実施形態のアウトセット引戸用鎌錠１００は、施解錠するための操作部１０と、操作部１０の上下動を鎌部材３０に伝達する伝達機構を内部に収容する鎌錠本体２０と、鎌部材３０と、鎌錠本体２０と協働して鎌部材３０を保持する端面部材４０と、引戸Ｄに対向する壁面Ｗ又は戸枠に設けられ鎌部材３０が掛止するための鎌受け５０とを備えている。鎌錠本体２０の摺動部材２２は、摺動部材２２に連動して上下方向に往復移動して鎌部材３０を回動させる連動桿２２ａと、操作部１０に機械的に連結され、長穴２２ｂを有するアーム部２２ｃとを備えている。鎌部材３０は、基端部３１と、連動桿２２ａと平行となるように基端部３１から突出して設けられた鎌軸３２と、基端部３１に設けられ、連動桿２２ａが挿通する湾曲状長穴３３と、基端部３１の先端側に設けられ、連動桿２２ａが上下方向に往復移動し湾曲状長穴３３に沿って移動することにより基端部３１が鎌軸３２を中心に回動した際に、引戸Ｄの側面から突出又は引込するように構成された鎌部３４とを備えている。
【００４７】
このように、摺動部材２２は、鎌部材３０を連動させる連動桿２２ａと、左右方向に沿って伸長しており、操作部１０の連結部材１２が挿通可能な長穴２２ｂを有するアーム部２２ｃとを有することにより、長穴２２ｂにおいて連結部材の位置が変更可能であり、引戸Ｄを閉めた際のかぶせ寸法に応じて、バックセット寸法を所定範囲において自由に調整、変更することができる。また、連結部材１２が直接に摺動部材２２を操作する構造であり、かつ連動桿２２ａが上下方向に往復移動し湾曲状長穴３３に沿って移動することによって鎌部材３０の基端部３１が鎌軸３２を中心に回動する構造であるため、構造が簡単であると共に部品点数が少なく済み、低コストで製造することができる。また、鎌錠であるため、引戸Ｄを確実に施錠して施錠性を高めることができる。そのため、建具の設計上ではかぶせ寸法に自由度ができ、製造コストをかけて鎌錠製品の種類を増やす必要がなくなる。
【００４８】
また、鎌錠本体２０の摺動長穴２６の両側には１対の軸受け穴２７が設けられており、鎌部材３０の鎌軸３２は両端部が基端部３１の両側面からそれぞれ突出して基端部３１に固着されており、鎌軸３２の両端部のうちの一方が１対の軸受け穴２７の１つに装着されて軸支されるように、さらに、両端部のうちの他方が端面部材４０の対応する位置（下方位置）に設けられた１対の軸受け穴４３のうちの１つに装着されて軸支されるように構成されている。このような鎌部材３０を裏返して鎌軸３２の他方を１対の軸受け穴２７の他の１つ及び端面部材４０の対応する位置（この場合の下方位置）に設けられた１対の軸受け穴４３のうちの他方との間に装着すれば、鎌錠１０の左右勝手の入れ替えを行うことができるので、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００４９】
連結部材１２は、長穴２２ｂに左右方向に移動可能な所定幅を有する平板形状に形成されているため、従来の角芯（又は円柱状の連結軸）のような一点に作用することによりアーム部２２ｃに回転する力を加えることがなく、スムーズに操作することができる。
【００５０】
鎌部材３０の突出方向又は引込方向に摺動部材２２を付勢する付勢手段２３を備えることで、鎌部材３０が突出又は引込する位置に安定することができる。
【００５１】
また、鎌部材３０の湾曲状長穴３３が設けられる部分が樹脂材料から形成されているため、連動桿２２ａがスムーズに摺動でき、かつ施錠する際に鎌受け５０に当接する時の操作音を抑えることができる。
【００５２】
なお、上述した実施形態のアウトセット引戸用鎌錠１００においては、戸枠Ｆに取り付ける鎌受け５０を有する例を説明したが、本発明はこれに限定されるものではない。引戸Ｄを閉めた際のかぶせ寸法が大きい場合、例えば、図７に示すような壁面に取り付ける鎌受け５０Ａを用いても良い。同図（ａ）は、鎌受け５０Ａが壁面に取り付けた状態を示しており、同図（ｂ）は、施錠状態を示している。
【００５３】
また、上述した実施形態のアウトセット引戸用鎌錠１００においては、鎌部材３０の湾曲状長穴３３が設けられる部分は、樹脂材料から形成されている例を説明したが、本発明はこれに限定されるものではない。例えば、鎌部材３０全体が金属材料から形成されても良い。
【００５４】
本発明は、上記の実施形態に限定されるものでなく、特許請求の範囲に記載された発明の要旨を逸脱しない範囲内での種々、設計変更した形態を技術的範囲に含むものである。
【符号の説明】
【００５５】
１０  操作部
１１  操作ノブ
１１ａ  外側解ｊ錠機構
１２  連結部材
２０  鎌錠本体
２１  収容ケース
２２  摺動部材
２２ａ  連動桿
２２ｂ  長穴
２２ｃ  アーム部
２３  付勢手段
２４  取り付け部
２５  開口部
２６  摺動長穴
２７、４３  軸受け穴
２８  ガイド溝
３０  鎌部材
３０ａ  鎌本体
３１  基端部
３１ａ  基端部本体
３１ｂ  金属板材
３２  鎌軸
３３  湾曲状長穴
３４  鎌部
４０  端面部材
４０ａ  端面片
４０ｂ  側面片
４１  取り付け用突起部
４２  摺動溝
４３  軸受け穴
４４  鎌出入口
５０、５０Ａ  鎌受け
５１  鎌掛け部
５２  箱状部材
５３  押さえ板
５４  表面板
１００  アウトセット引戸用鎌錠
Ｄ  アウトセット引戸（引戸）
Ｆ  戸枠
Ｗ  壁面
【図１】
2019108661.tif 000003
【図２】
2019108661.tif 000004
【図３】
2019108661.tif 000005
【図４】
2019108661.tif 000006
【図５】
2019108661.tif 000007
【図６】
2019108661.tif 000008
【図７】
2019108661.tif 000009